(57)【要約】【課題】高い手作業の熟練度を必要とすることなく迅速に歯科補綴材を製造する際に柔軟な操作を可能にする歯科補綴材ならびにその製造方法を提供する。【解決手段】単一部位あるいは多数部位からなる下層構造とこの下層構造と結合可能であるとともにこれを少なくとも部分的に被包する上層部位とからなる歯科補綴材である。少なくとも部分的に咬合面を形成する上層構造は、少なくとも１つの硬質な咬合要素ならびにこの硬質な咬合要素を下層構造と結合する少なくとも１つの結合材料を備える。【選択図】図３  
2005118574.tif 000002
【特許請求の範囲】
【請求項１】
単一部位あるいは多数部位からなる下層構造とこの下層構造と結合可能であるとともにこれを少なくとも部分的に被包する上層部位とからなる歯科補綴材であり、少なくとも部分的に咬合面を形成する上層構造が少なくとも１つの硬質な咬合要素（１２，１４，１６）ならびにこの硬質な咬合要素（１２，１４，１６）を下層構造と結合する少なくとも１つの結合材料（１０）を備えることを特徴とする歯科補綴材。
【請求項２】
結合材料（１０）および／または被覆材料が下層構造を被包し、場合によって別の材料（被覆材料）が咬合要素（１２，１４，１６）の外側において露出しており、すなわち被覆されていないことを特徴とする請求項１記載の歯科補綴材。
【請求項３】
結合材料（１０）または被覆材料は特に光硬化性あるいは自然硬化性の樹脂材料であることを特徴とする請求項１または２記載の歯科補綴材。
【請求項４】
結合材料はセラミックからなることを特徴とする請求項１または２記載の歯科補綴材。
【請求項５】
部分咬合面を形成する少なくとも１つの咬合要素（１２，１４，１６，１８）は予加工されたセラミックからなり、特に酸化アルミニウムセラミック、酸化ジルコニウムセラミックまたはガラスセラミック、あるいはそれらの混合物からなることを特徴とする請求項１ないし４のいずれかに記載の歯科補綴材。
【請求項６】
咬合要素（１２，１４，１６，１８）は予加工された樹脂からなり、特に光あるいは熱によって予め硬化された樹脂要素等の予加工された樹脂要素から形成されることを特徴とする請求項１ないし４のいずれかに記載の歯科補綴材。
【請求項７】
下層構造は金属枠材、金属セラミック枠材、セラミック枠材、樹脂枠材、および／または樹脂ガラス繊維枠材からなることを特徴とする請求項１ないし６のいずれかに記載の歯科補綴材。
【請求項８】
各咬合要素（１２，１４，１６，１８）が部分咬合面を形成するとともに、歯ごとに１つ、２つ、３つあるいは４つの咬合要素（１２，１４，１６，１８）を備えており、これは臼歯上の適宜な位置に配置され、歯科補綴材は小臼歯あるいは臼歯用に設定されることを特徴とする請求項１ないし７のいずれかに記載の歯科補綴材。
【請求項９】
補綴する歯のプレパレーション境界と咬合要素（１２，１４，１６）との間に延在する少なくとも１つの枠材の側方自由空間が結合材料（１０）または被覆材料によって被包されることを特徴とする請求項１ないし８のいずれかに記載の歯科補綴材。
【請求項１０】
側方自由空間は互いに向かい合っている２つの側面間、従って頬側／舌側あるいは近心側／遠心側に延在し、いずれの場合も別の各側面が上層構造の側方延長部によって被包されることを特徴とする請求項１ないし９のいずれかに記載の歯科補綴材。
【請求項１１】
上層構造は結合材料（１０）および／または被覆材料を使用しながら下層構造を補綴する歯のプレパレーション境界まで完全に被包することを特徴とする請求項１ないし１０のいずれかに記載の歯科補綴材。
【請求項１２】
上層構造の一部として下層構造の上に着合される咬合要素を有する歯科補綴材を製造する方法であり、下層構造上に結合材料（１０）を塗付して必要に応じて部分的に予め硬化し、少なくとも部分面を形成する少なくとも１つの咬合要素（１２，１４，１６，１８）を結合材料内に押圧して咬合状態に従って整合させ、これに続いて結合材料（１０）の完全な硬化を特に光および／または熱によって実施し、補綴する歯のプレパレーション境界と咬合要素（１２，１４，１６）との間の特に頬側／舌側および／または近心側／遠心側の自由空間を結合材料（１０）および／または被覆材料によって充填してこれを硬化することを特徴とする方法。
【発明の詳細な説明】
【技術分野】
【０００１】
この発明は、請求項１前段に記載の歯科補綴材ならびに請求項１２前段に記載の歯科補綴材の製造方法に関する。
【背景技術】
【０００２】
この種の歯科補綴材はドイツ国特許第４１３３６９０号明細書（特許文献１）によって知られている。この種の解決方式において可塑性の完成歯冠部材ならびに咬合面が使用され、これは一体部材として支台部材上に設置される。設置の後この可塑性の半完成品は紫外線によって硬化され、修正された咬合面として使用可能となる。この種の咬合面は比較的軟質のものである。加えて、咬合面の後修正は集中的な手作業を必要とし、補綴材の品質は所要の隆起形状を形成する歯科医師あるいは歯科技工士の熟練度に依存したものとなる。
【０００３】
さらに、例えばドイツ国特許第１９８５０４５１号Ｃ１明細書（特許文献２）によって、歯科補綴材を製造するための完成構成要素が知られている。この解決方式は、金属枠材を不透明材料によって被包しその上に象牙質セラミックを塗付する予備咬合面の製造に適している。この予備咬合面は正確に切歯面の形状を確定する。象牙質に擬似して形成されたセラミック層は整合誤差が生じないように正確な形状を有する必要がある。２つの層の塗付によって美観的に好適な結果が得られるが、歯の位置の誤差を確実に回避するために極めて精密な作業が必要となる。
【０００４】
【特許文献１】ドイツ国特許第４１３３６９０号明細書
【特許文献２】ドイツ国特許第１９８５０４５１号Ｃ１明細書
【発明の開示】
【発明が解決しようとする課題】
【０００５】
従って、本発明の目的は、高い手作業の熟練度を必要とすることなく迅速に歯科補綴材を製造する際に柔軟な操作を可能にする、請求項１前段に記載の歯科補綴材ならびに請求項１２前段に記載の歯科補綴材の製造方法を提供することである。
【課題を解決するための手段】
【０００６】
前記の課題は、本発明に従って、請求項１および請求項１２によって解決される。下位請求項には好適な追加構成が示されている。
【発明の効果】
【０００７】
本発明によれば、少なくとも１つの咬合要素、好適には２つの咬合要素を予備加工された要素として提供し、それによって隆起形状を歯科医師あるいは歯科技工士の手作業によらずに工業的に予備加工しその結果最適化された構成を有するものとすることができる。
【０００８】
これによって、個別に最適化した咬合面を製造するための時間を大幅に削減し得るとともに、補綴結果も改善された構成を達成することができる。歯科医師は単に例えば咬合器内で歯を整合した後結合材料が咬合面または咬合要素の縁部と一体的に接続するような方式で結合材料を処理するだけで充分となる。多様な咬合面要素を形成することによって多様な歯の形状が実現可能であることが理解される。例えば、咬合面要素の凸性が大きいと一般的により大きな歯冠間自由空間が形成される。
【０００９】
本発明によれば、咬合要素に比べて柔軟な結合材料の中に咬合要素を埋め込むことによってセラミック製歯冠と樹脂製歯冠の長所を組み合わせることができ：咬合要素を弾力的に支承することによって補綴された歯の拮抗歯に対する負担が削減され、同時に硬質の咬合面のため磨耗も低減する。
【００１０】
本発明によれば、結合材料を意外な程容易にその場所で硬化することができる。咬合要素によって被包されていて光重合が不可能な結合材料の領域は、それが樹脂製である場合、熱硬化を行うことができる。
【００１１】
樹脂材料としては原則的に熱および／または光硬化性の樹脂材料が好適であるが、粘性を調節可能な歯科セメント材を同様に使用することもでき、これはさらに、例えば樹脂製の、適宜な保護層によってさらに被包することができる。
【００１２】
意外なことに、それぞれ異なった熱膨張係数を有する２つあるいは３つの異なった材料を使用するにもかかわらず、縁部の割れが発生しない。本発明によれば、時間を要する上層構造のか焼工程が省略され、従って歯科技工室の加工サイクル時間が短縮されることが特に好適である。
【００１３】
この点に関して、本発明に従って製造された歯科補綴材が良好に研磨可能であることも好適であり、この際結合材料と咬合要素との間の境界を隙間無く形成することができる。
【００１４】
咬合要素に比べて柔軟な結合材料の中に咬合要素を比較的柔軟に埋め込むことによって、極めて硬質の樹脂を咬合要素に使用しても、または硬質のセラミックを咬合要素に使用しても硬質に設定された咬合要素の疲労破壊の発生が著しく削減される。
【００１５】
本発明によれば、部分咬合面を形成することができる咬合要素が予備加工して形成可能であり、従って極めて良好な表面品質を実現可能であることが極めて好適である。
【００１６】
本発明によれば、酸化セラミックまたは酸化ジルコニウムを咬合要素に使用することができ、これらはその硬度のため拮抗歯を損傷する可能性があるが、本発明によって柔軟に埋め込むことによってそれを防止することができる。
【００１７】
咬合要素の数は必要に応じて任意に設定し得ることが理解される。例えば、小臼歯には二分割した咬合面が設けられることが可能であり従って２つの咬合要素を結合材料上に装着することができ、一方臼歯においては隆起の数に応じて３つまたは４つの咬合要素を使用することができる。
【００１８】
隆起の傾斜が個別に調節可能であることが極めて好適である。これによって、所要の咬合状態を最適かつ精密に調整して固定することができる。
【００１９】
本発明の好適な構成形態において、さらに中間部材を工業的に予備加工することができ、これに本発明に係る結合材料を比較的柔軟に固定することができる。
【００２０】
本発明に係る歯科補綴材を製造するためにまず必要なプレパレーションを行うことが好適である。例えば合金または純セラミックあるいはその他の任意の方式で下層構造を完全に構成する。既知の方式によって石膏製の型が成形および製造される。下層構造上には結合材料が塗付され、この結合材料は、容易に変形を行うことができるが重力によって変形することは無いような粘性を備えるものとされる。ここで咬合状態に従って咬合要素が装着され咬合器内で調節される。さらにこれは結合材料内に押圧され、微調整を行うことができる。
【００２１】
このようにして得られた歯科補綴材が硬化によって所定の位置に固定される。シリコンブレイクダウン物質によるブレイクダウンが生じることも可能である。プレパレーション境界に対して小さな自由空間が残存し、これは例えば光硬化性の樹脂によって充填されその後硬化が実施される。
【００２２】
本発明によれば、歯根の上に下層構造を固定することが好適である。これによって長期間の圧力によるまたはインタロック式の支持が達成され、これは適宜に準備されたプレパレーションによって滑らかに接合することができる。一方、下層構造を一般的な方式で固定されているピン上または場合によっては取り付け部材上に取り付けることもできる。
【００２３】
本発明のその他の詳細、特徴ならびに種々の利点は添付図面を参照しながら以下に記述する複数の実施例によって明らかにされる。
【実施例】
【００２４】
図１に示されているように、補綴する歯の領域、この例においては下顎奥歯の領域に、既知の方式でプレパレーションを行い、従って柱状の歯３４，３６および３７が残留する。一般的な方式で型取りによって好適には超硬質石膏から型が形成される。これに基づいて既知の方法で下層構造が形成される。この下層構造は例えば咬合器内に挿入することができるが、試験的に柱状の歯の上に設置することもできる。
【００２５】
本発明によれば、図示されていない下層構造上に図２のように結合材料１０が塗付され、これは実質的に後の歯科補綴材の形状を有している。結合材料１０は下層構造上に塗付された状態においてはまだ変形可能である。次に、結合材料１０内に本発明に従って咬合要素が押し込まれ、図３において歯ＶＩＩに３つの咬合要素１２，１４および１６が取り付けられる。
【００２６】
この解決方式の利点は、逆型に対しても精密整合を咬合器内において正確に調整することができ；本発明に従った結合材料に使用される材料の半固形状態により所要の状態が容易に達成される。
【００２７】
咬合要素１２ないし１６の押圧に際して余剰分が発生することが理解される。これは補綴材の完成後あるいは咬合面要素の押圧後の任意の時点で容易に除去することができる。
【００２８】
この解決方式において、隆起の傾斜が極めて精密に個別に調整可能であることが特に好適である。従って、同じ咬合面要素によって急傾斜なあるいは平坦な隆起の両方が実現可能であり、またその中間も可能である。従って、本発明に係る歯科補綴材の咬合面要素の在庫コストは極めて小さなものとなる。
【００２９】
図２の実施例において、臼歯ＶＩＩのための咬合要素１２ないし１６の他に歯ＩＶのための咬合要素１８が設けられており、これも同様に本発明の方式によって調整可能である。
【００３０】
図２には咬合要素１２，１４および１８に相応する２つの舌側隆起および１つの頬側隆起を備えた臼歯ＶＩＩが示されているが、図３には適宜に形成された４つの咬合要素に相応する４つの隆起１２，１４，１６および２０を備えた臼歯ＶＩＩが示されている。この実施形態において、まず咬合要素の位置がシリコンを使用して保持され；この実施例においてはこれに続いて枠台の構成が行われる。
【００３１】
上層構造と下層構造を互いに適合させる必要があるものの、その製造は平行して行うことが可能であり、それによって時間を短縮し得ることが理解される。
【００３２】
図４には、枠材または下層構造の製造が示されている。この実施例において構造面要素はシリコンブレイクダウン物質２２によって固定され、柱状の歯の上への固定は光硬化性樹脂によって既知の方式でプレパレーション境界上において行われる。
【００３３】
ここで、自然硬化性の樹脂を使用することも可能であることが理解される。
【００３４】
さらに、本発明に従った硬質の咬合面要素とこれに対して軟質の結合材料との順列は、追加的により軟質あるいはより硬質の材料を挿入することを排除するものではないことが理解される。従って、例えばセラミック製下層構造部材を既知の方式で歯科セメント材によって互いに結合することもできる。本発明に係る咬合面要素は酸化セラミック内での実施に限定されるものではなく；これに代えて予備加工され硬質に調整された樹脂を使用することもできる。
【図面の簡単な説明】
【００３５】
【図１】本発明に係る歯科補綴材を収容するために成形した後の下顎を概略的に示した説明図である。
【図２】製造中における本発明に係る歯科補綴材の実施例を示した説明図である。
【図３】図３に対して変更された実施例を示す説明図である。
【図４】図２および図３の歯科補綴材のための完成した枠台下層構造を示した説明図である。
【符号の説明】
【００３６】
１０  結合材料
１２，１４，１６，１８，２０  咬合要素
２２  ブレイクダウン物質
３４，３６，３７  柱状の歯
【図１】
2005118574.tif 000003
【図２】
2005118574.tif 000004
【図３】
2005118574.tif 000005
【図４】
2005118574.tif 000006
【手続補正書】
【提出日】平成16年10月18日(2004.10.18)
【手続補正１】
【補正対象書類名】図面
【補正対象項目名】全図
【補正方法】変更
【補正の内容】
【図１】
2005118574.tif 000007
【図２】
2005118574.tif 000008
【図３】
2005118574.tif 000009
【図４】
2005118574.tif 000010